(57)【要約】【課題】粘着テープカッターを置くことが出来て、スケールに合わせて粘着テープを任意の寸法に容易に引き出すことが出来て且つ、安全な作業が出来る簡便で安価なスケール付き粘着テープカッター置き具を提供する。【解決手段】マット１の表面の後部スペース４に厚みを有する縁部２を形成したその縁部２内に粘着テープカッター１０を置き、そこに支持された粘着テープ６の引き出す方向にスケール３を印刷してあるため、感に頼らずとも粘着テープ６を任意の寸法に容易に引き出すことが出来、粘着テープカッター１０が縁部２内で拘束されるため、手や其の他の物が触れた場合でも、その位置を動かすことはない。また粘着テープ６を引き出す際にもその引っ張り力で粘着テープカッター１０を動かすことなく安心して引き出すことが出来るものとしている。【選択図】    図２
2007238319.tif 000002
【特許請求の範囲】
【請求項１】
マット（１）表面の長方形状の後部スペース（４）に厚みを有する縁部（２）を形成すると共に、前記マット（１）の粘着テープ（６）の引き出し方向にスケール（３）を印刷したことを特徴とするスケール付き粘着テープカッター置き具。
【請求項２】
マット（１）表面の長方形状の後部スペース（４）に厚みを有する縁部（２）の形成においては、任意な形状に切断可能で、前記後部スペース（４）に装着可能な取り付けシート（２０）を、任意に縁部を形成する形状に切断し、前記後部スペース（４）に、任意に装着可能としたことを特徴とする請求項１記載のスケール付き粘着テープカッター置き具。
【請求項３】
マット（１）表面の長方形状の後部スペース（４）に厚みを有する縁部（２）の形成においては、前記後部スペース（４）に装着可能な、少なくとも１以上の縁部を形成した取り付けシート（３０、３１）を、前記後部スペース（４）に任意に装着可能としたことを特徴とする請求項１記載のスケール付き粘着テープカッター置き具。
【発明の詳細な説明】
【技術分野】
【０００１】
この発明は粘着テープカッターを置くことが出来て、スケールに合わせて粘着テープを任意の寸法に引き出す場合に使用されるスケール付き粘着テープカッター置き具に関するものである。
【背景技術】
【０００２】
従来は、粘着テープカッターから感に頼り粘着テープを引き出しており、長すぎると目的物に貼った場合には食み出し、短すぎると継ぎ足すことになり不都合な点があった。また従来の粘着テープ長さ調整具としては、例えば特願平９−２４３９９７号公報（特許文献１参照）に示すものがある。この粘着テープ長さ調整具は粘着テープカッターの前に置いて各種サイズの封筒の封緘部寸法に応じた目盛りをつけ封緘する寸法に合わせて粘着テープを引き出している。
【０００３】
粘着テープカッターの前に粘着テープ長さ調整具を置いて使用するので粘着テープ長さ調整具に手や其の他の物が触れた場合、その位置をずらしたりしてしまうことがあるので、引き出す粘着テープの長さに狂いが出てくる恐れがある。また、粘着テープを引き出す際に引き出す引っ張り力で粘着テープカッターを定位置からずらしてしまい、粘着テープ長さ調整具も定位置から動いてしまうことがある。従って引き出した粘着テープの長さに狂いが出てくる恐れがある。更に、粘着テープを引き出す際に、引き出す引っ張り力で粘着テープカッターは滑性のある卓上などからは動き、落としてしまう危険性もある。この様な欠点が解決されていないのが現状である。
【特許文献１】特願平９−２４３９９７号
【発明の開示】
【発明が解決しようとする課題】
【０００４】
従来は、粘着テープカッターから感に頼り粘着テープを引き出しており、長すぎると目的物に貼った場合には食み出し、短すぎると継ぎ足すことになり不都合な点があった。
前述の粘着テープ長さ調整具の場合は、粘着テープカッターの前に粘着テープ長さ調整具を置いて使用するので粘着テープ長さ調整具に手や其の他の物が触れた場合、その位置をずらし、置いた位置が安定せず、引き出した粘着テープの長さに狂いが出てくる恐れがあった。また粘着テープを引き出す際に引き出す引っ張り力で粘着テープカッターを定位置からずらしてしまうことが、しばしばあるので、その際、粘着テープ長さ調整具も定位置から動き、引き出した粘着テープの長さに狂いが出てくる恐れがある。
【０００５】
粘着テープを引き出す際に、引き出す引っ張り力で卓上にある粘着テープカッターを動かして落としてしまう危険性もあつた。従って片方の手で粘着テープカッターを押さえて、もう一方の手で、粘着テープカッターから粘着テープを引き出すことが必要になる。種々の作業中に片方の手で作業をしながら、空いたもう一方の手で粘着テープを引き出すことが多々あるので、片手で操作が出来て決められた長さを引き出すことが必要になるが、それが出来る迄に至っていないのが現状である。
【０００６】
この発明は、上記のような実情に鑑みて、スケール付き粘着テープカッター置き具の定位置上の厚みを有する縁部内に粘着テープカッターを置いて使用することで縁部で拘束されて動くことなくスケールに沿って粘着テープが必要な長さに確実に引き出すことが容易となり、安全な作業が出来る安価なスケール付き粘着テープカッター置き具を提供することを目的とした。
【課題を解決するための手段】
【０００７】
後記する各実施形態の図面に示すように、本発明のスケール付き粘着テープカッター置き具は、マット１表面の長方形状の後部スペース４に厚みを有する縁部２を形成すると共に、前記マット１の粘着テープ６の引き出し方向にスケール３を印刷したものとしている。
【０００８】
そして、この発明のスケール付き粘着テープカッター置き具は、図３〜５に示すように、
マット１表面の長方形状の後部スペース４に厚みを有する縁部２の形成においては、任意な形状に切断可能で、前記後部スペース４に装着可能な取り付けシート２０を、任意に縁部を形成する形状に切断し、前記後部スペース４に、任意に装着可能とした構成とした。
【０００９】
更に、この発明のスケール付き粘着テープカッター置き具は図６、図７に示すように、マット１表面の長方形状の後部スペース４に厚みを有する縁部２の形成においては、前記後部スペース４に装着可能な、少なくとも１以上の縁部を形成した取り付けシート３０、３１を、前記後部スペース４に任意に装着可能とした構成とした。
【発明の効果】
【００１０】
本発明のスケール付き粘着テープカッター置き具は、粘着テープカッターに支持された粘着テープを感に頼らずとも任意の寸法に簡単に引き出すことが出来る。またスケール付き粘着テープカッター置き具のマット上で前記粘着テープカッターの底部が確実に拘束されるので前記粘着テープカッターが体や手、物などの接触などや少々の振動などでは動くことはなく、前記スケールにより前記粘着テープを必要寸法に確実に安全に引き出すことが出来る。また安価に供給することが出来る。
【発明を実施するための最良の形態】
【００１１】
以下、添付図面に基づいて本発明に係るスケール付き粘着テープカッター置き具の実施形態を詳細に説明する。
【００１２】
図１および図２は本発明のスケール付き粘着テープカッター置き具の一実施形態を示し、図１はスケール付き粘着テープカッター置き具の一実施形態を示す斜視図、図２はその使用状態を示す説明図である。
【００１３】
本実施形態によれば、図１、図２に示すように、マット１および前記マット１上の後部スペース４に形成された厚みを有する縁部２はゴム、合成樹脂、不織布などで一体成型することができる。またマット１上の後部スペース４にゴム、合成樹脂などを塗布して、厚みを有する前記縁部２を形成することも望ましい。更にまた前記縁部２はゴム、合成樹脂、人工皮革、布、不織布、紙などで別に成型したものを前記マット１上の前記後部スペース４に接着材、両面テープなどで貼り付けて厚みを有する前記縁部２を形成することも望ましい。前記マット１上には、前記縁部２内に置かれる粘着テープカッター１０より引き出される粘着テープ６の方向にスケール３が印刷されている。前記マット１上では前記粘着テープカッター１０は前記縁部２内で動きが拘束されて定位置に留まり、体や手、物などの接触などや少々の振動などでは動くことはなく、また前記粘着テープ６を引き出す際に引き出す引っ張り力で前記粘着テープカッター１０を定位置からずらしてしまうことなどがないので前記スケール３により前記粘着テープ６を確実に必要寸法に引き出すことが出来る。
【００１４】
図３ないし図５は本発明に係るスケール付き粘着テープカッター置き具の別の実施形態を示し、図３はスケール付き粘着テープカッター置き具のマット１上に取り付けシート２０を装着する前の斜視図、図４はスケール付き粘着テープカッター置き具の前記マット１上に前記取り付けシート２０を装着した後の斜視図、図５はスケール付き粘着テープカッター置き具の使用状態を示す説明図である。
【００１５】
本発明に係るスケール付き粘着テープカッター置き具は図３ないし図５に示すように、ゴム、合成樹脂、人工皮革、布、不織布、紙などで形成されたマット１および任意に縁部を形成した形状に切断可能で装着可能な取り付けシート２０からなる。図３に示すように前記取り付けシート２０は、夫々に形状が違う粘着テープカッター１０の底部形状に合致するように且つ、前記底部が嵌まり込む形状に鋏やカッターで前記取り付けシート２０から切断部２１を切り取り、その後、前記取り付けシート２０を前記マット１の表面の後部スペース４に接着材、両面テープなどを用い装着することが出来る。図４は、その装着後の状態を示す。図５は前記マット１に装着された前記取り付けシート２０の定位置に前記粘着テープカッター１０を置いた状態を示す。前記マット１には、前記粘着テープカッター１０より引き出される粘着テープ６の方向にスケール３が印刷されている。前記マット１上では前記粘着テープカッター１０の底部が前記取り付けシート２０に嵌まり込んだ形に確実に留保されるので前記粘着テープカッター１０が体や手、物などの接触などや少々の振動などでは動くことはなく、前記スケール３により前記粘着テープ６を必要寸法に確実に引き出すことが出来る。また以上のような構成にすると製作コストも抑え、各種の粘着テープカッター１０に対応することが出来る。
【００１６】
図６ないし図８は本発明に係るスケール付き粘着テープカッター置き具の、更に別の実施形態を示し、図６（Ａ）はスケール付き粘着テープカッター置き具のマット１上に複数の取り付けシート３０、３１を装着する前の斜視図、図６（Ｂ）はスケール付き粘着テープカッター置き具の前記マット１上に前記取り付けシート３０、３１を装着した後の斜視図、図６（Ｃ）はスケール付き粘着テープカッター置き具の使用状態を示す説明図である。図７（Ａ）はスケール付き粘着テープカッター置き具の前記マット１上に取り付けシート３０を装着する前の斜視図、図７（Ｂ）はスケール付き粘着テープカッター置き具の前記マット１上に前記取り付けシート３０を装着した後の斜視図、図７（Ｃ）はスケール付き粘着テープカッター置き具の使用状態を示す説明図である。図８（Ａ）は図６、図７で示すスケール付き粘着テープカッター置き具のマット１上に取り付けシートを装着しない構成を示す斜視図、図８（Ｂ）はスケール付き粘着テープカッター置き具の使用状態を示す説明図である。
【００１７】
本発明に係るスケール付き粘着テープカッター置き具は図６（Ａ）〜（Ｃ）に示すように、ゴム、合成樹脂、人工皮革、布、不織布、紙などで形成されたマット１および装着可能な取り付けシート３０および３１からなる。また図７（Ａ）〜（Ｃ）はゴム、合成樹脂、人工皮革、布、不織布、紙などで形成されたマット１および装着可能な取り付けシート３０からなる。また図８（Ａ）、（Ｂ）に示すように、ゴム、合成樹脂、人工皮革、不織布、布、紙などで形成されたマット１よりなる。
【００１８】
図６（Ａ）に示すように装着可能な前記取り付けシート３０および３１は、夫々に形状が違う粘着テープカッター１０の前側１２および後側１３の底部形状サイズに合致するようにフリーサイズに形成されている。装着可能な前記取り付けシート３０および３１は、図６（Ｂ）に示すように前記マット１の表面の後部スペース４に前記粘着テープカッター１０の前記前側１２および前記後側１３を、はさむように接着材、両面テープなどを用い装着することが出来る。図６（Ｃ）は前記マット１に装着された装着可能な前記取り付けシート３０および３１の間に前記粘着テープカッター１０を置いた状態を示す。前記マット１には、前記粘着テープカッター１０より引き出される粘着テープ６の方向にスケール３が印刷されている。前記マット１上では前記粘着テープカッター１０の底部が、装着可能な前記取り付けシート３０および３１の間に嵌まり込んだ形に確実に留保されるので、前記粘着テープカッター１０が体や手、物などの接触などや少々の振動などでは動くことはなく、前記スケール３により前記粘着テープ６を必要寸法に確実に引き出すことが出来る。また以上のような構成にすると製作コストも抑え、各種の粘着テープカッター１０に対応することが出来る。
【００１９】
また図７（Ａ）に示すように装着可能な取り付けシート３０は、夫々に形状が違う粘着テープカッター１０の前側１２の底部形状サイズに合致するようにフリーサイズに形成されている。装着可能な前記取り付けシート３０は、図７（Ｂ）に示すように前記粘着テープカッター１０の前記前側１２を固定するように、前記マット１の表面の後部スペース４に接着材、両面テープなどを用い装着することが出来る。図７（Ｃ）は装着可能な前記取り付けシート３０を前記マット１に装着した後、前記粘着テープカッター１０を置いた状態を示す。また前記粘着テープカッター１０より引き出される粘着テープ６の方向にスケール３が印刷されている。前記マット１上では前記粘着テープカッター１０の底部が装着可能な前記取り付けシート３０で留保されるので前記粘着テープカッター１０が体や手、物などの接触などや少々の振動などで動くことを防ぎ、前記スケール３により前記粘着テープ６を必要寸法に確実に引き出すことが出来る。図６、図７で前記取り付けシートの数を複数、単数での形態を例示したが、そのほかいかなる形態でもよい。また以上のような構成にすると製作コストも抑え、各種の粘着テープカッター１０に対応することが出来る。
【００２０】
また図８（Ａ）に示すように前記マット１上の後部スペース４には、粘着テープカッター１０を置くスペースが備えてあり、図８（Ｂ）に示すように前記粘着テープカッター１０より引き出される粘着テープ６の方向にスケール３が印刷されているので、前記スケール３により前記粘着テープ６を必要寸法に引き出すことが出来る。図６、図７で示すように前記取り付けシート３０、３１を使わない構成となる。従って以上のような構成にすることにより製作コストも抑え、より簡便で各種の粘着テープカッター１０に対応することが出来る。
【００２１】
図１ないし図８におけるマット１のマット裏面５には滑り止め加工を施すことが望ましい。例えば、粘着性ウレタンゴムやシリコンゴム、ゴム、合成樹脂などのコーティングや塗布、または滑り止めシートなどの貼付、マット１の材質そのものを滑り止めシートで製作することも望ましい。
【００２２】
以上のように構成した本発明のスケール付き粘着テープカッター置き具を使用するには、次のように行う。
【００２３】
先ず、粘着テープ６をセットした粘着テープカッター１０を、マット１上の所定の位置に、置き前記粘着テープカッター１０から前記粘着テープ６を引き出し方向に引き、必要な長さが、スケール３にある寸法に達すれば前記粘着テープカッター１０の切り歯１１により、その引き出した前記粘着テープ６を切断すれば必要な長さを得ることができる。
【００２４】
本発明は図示した実施形態に限定されるものではなく、本発明の要旨を踏襲する限り、本発明の明細書及び図面に記載された内容から推量できるもの、或いは同じ機能を有する他の手段に置き換えたものも本発明に含まれるものである。
【図面の簡単な説明】
【００２５】
【図１】本発明によるスケール付き粘着テープカッター置き具の一実施形態の斜視図である。
【図２】図１に示したスケール付き粘着テープカッター置き具の使用状態を示す説明図である。
【図３】本発明の、別の実施形態に係るスケール付き粘着テープカッター置き具のマット上に取り付けシートの装着前の斜視図である。
【図４】図３に示したスケール付き粘着テープカッター置き具のマット上に取り付けシートの装着後の斜視図である。
【図５】図３に示したスケール付き粘着テープカッター置き具の使用状態を示す説明図である。
【図６】本発明によるスケール付き粘着テープカッター置き具の、更に別の実施形態の斜視図で、（Ａ）はマット上に、複数の取り付けシート装着前の斜視図、（Ｂ）はマット上にその取り付けシート装着後の斜視図、（Ｃ）は使用状態を示す説明図である。
【図７】図６で示すスケール付き粘着テープカッター置き具の取り付けシートを装着するもので、（Ａ）はその装着前の斜視図、（Ｂ）はマット上に取り付けシートの装着後の斜視図、（Ｃ）は使用状態を示す説明図である。
【図８】図６、図７で示すスケール付き粘着テープカッター置き具の取り付けシートを装着しない構成で、（Ａ）は斜視図、（Ｂ）は使用状態を示す説明図である。
【符号の説明】
【００２６】
１．マット
２．縁部
３．  スケール
４．  後部スペース
５．  マット裏面
６．  粘着テープ
１０．  粘着テープカッター
１１．  切り歯
１２．  前側
１３．  後側
２０．  取り付けシート
２１．  切断部
２２．  取り付けシート裏面
３０．  取り付けシート
３１．  取り付けシート
【図１】
2007238319.tif 000003
【図２】
2007238319.tif 000004
【図３】
2007238319.tif 000005
【図４】
2007238319.tif 000006
【図５】
2007238319.tif 000007
【図６】
2007238319.tif 000008
【図７】
2007238319.tif 000009
【図８】
2007238319.tif 000010